(57)【要約】本発明は、いかなる閉塞の問題もなく、幅広い流速域で、人間、動物、および生物学的物質の内部で同時に流体注入および排出をするために用いられるカテーテルである。カテーテルは、２つの同軸管により構成される。その近位端部は注入機器および排出機器にそれぞれ適切に接続される。カテーテルの遠位端部は、フィルタ、または膜組織、または格子、または網目の籠に覆われ、同時注入排出を行う流体力学的に動作する機器を有する。内管は、フィルタ、または膜組織、または格子、または網目の籠の覆いを通じ、その透過性を維持しつつ、カテーテルの先端の周囲の空間を潤し、その一方で、その動きによって外管を通じた排出を助ける、可動注入排出機器に適切に組み立てられる。
2007504874.tif 000002
【特許請求の範囲】
【請求項１】
カテーテルの遠位端部における圧力に対し正圧をかけて注入するための液体が入る、ポンプまたはボトルまたはその他の器具と近位端部で接続される注入内腔管と、
カテーテルの遠位端部における圧力に対し負圧をかけて液体を収集する、ポンプまたはボトルまたはその他の器具と近位端部で接続される排出内腔管と、
注入および排出が行われるに介在する、前記カテーテルの遠位端部のフィルタまたは膜組織または格子または網の籠と、
フィルタまたは膜組織または格子または網の籠の内部にあって、フィルタまたは膜組織または格子または網の籠の表面を通じてカテーテル周辺の空間へ注入液を向け、カテーテル遠位端部の生物学的堆積物および結果堆積物を防止し、同時にその動きによりカテーテル周囲の液体の排出を助ける、流体力学的に動作する機器とから構成され、
液体を同時に注入および排出しうる、臨床または／および前臨床または／および検査のための、内視鏡治療用カテーテル。
【請求項２】
らせん形状である流体力学的に動作する機器およびその遠位端部により特徴づけられる、請求項１に記載の内視鏡治療用カテーテル。
【請求項３】
遠位端部において回転動作する流体力学的に動作する機器により特徴づけられる、請求項１および２に記載の内視鏡治療用カテーテル。
【請求項４】
遠位端部において、電気機械的または機械的に動作する、注入内腔および／または機器により特徴づけられる、請求項１、２および３に記載の内視鏡治療用カテーテル。
【発明の詳細な説明】
【技術分野】
【０００１】
本発明はカテーテルであり、人間および／または動物の組織および／または体内空間および／または新生物組織および／または体内における病理学上の液体蓄積物における生体物質の注入と同時に薬剤および栄養剤の注入に用いられる。
【背景技術】
【０００２】
臨床段階または前臨床段階で液体注入および吸引に用いられるカテーテルの多くの種類が存在する。伝統的に、生体物質に挿入されるカテーテルの先端は「遠位部」と呼ばれ、外部にとどまる先端は「近位部」と呼ばれる。
【０００３】
公知のカテーテルの多くは単内腔管を有し、この内腔管を通じて使用者すなわち医者、看護師、科学者、または検査技師は液体を択一的に注入または排出する。例えば臨床段階では、公知の静脈カテーテルは、−通常は静脈に挿入された後即座に−血液サンプルを吸入し、あるいは−通常は数時間あるいは数日間に渡る後述する注入の間−薬品および／または栄養剤の溶液を注入する。
【０００４】
これらのカテーテルは、大量の液体を注入したり排出したりすることができるが、病的液体蓄積物を薬品および栄養剤と連続して置換することを目的として、同時に行うことはできない。これは、注入段階の間に組織は体積を増加し、特定のケース（例えばすでに脳水腫に罹っているとき）では危険または致命的にすらなりうることを意味する。
【０００５】
液体を同時に注入および排出しうる複内腔管を有するカテーテルもまた存在する。
【０００６】
例えば、人体または動物組織に挿入された後の微小透析用カテーテルは、近位端部に接続されたポンプからの溶液で連続的に灌流される。カテーテルは、遠位端部で膜組織により覆われる２つの同軸内腔管から成る。通常、中心内腔管はカテーテルの輸出部をなし、周縁内腔管は輸入部をなす。かん流された液体の一部は、遠位端部のカテーテルの膜組織を通じて組織に注入され、細胞外組織液は、同じ膜組織および輸出内腔管を通じて排出される。
【０００７】
微小透析用カテーテルおよび類似のカテーテルは組織を観察するために設計されるが、前述の同時に行われる注入および排出は、マイクロリッタの流量速度で行われる。治療に応用するには、より多くの液体置換速度を必要とする。
【０００８】
さらに、体液に用いられる全ての種類の公知のカテーテルに共通する問題は、生体物質が内腔の排出端部に詰まること、あるいは有機物質（主にタンパク質）によりその液体交換膜（微小透析用カテーテルの膜組織）を覆うことによる、その閉塞である。
【０００９】
本発明による内視鏡治療用カテーテルは、いかなる閉塞の問題もなく、幅広い流速域で、同時に大量の液体を注入および排出する。
【発明を実施するための最良の形態】
【００１０】
内視鏡治療用カテーテルは、近位端部の注入および排出機器に適切に接続され、遠位端部を覆うフィルタ、または膜組織、または格子、または網目の籠を有して、同時に注入および排出を行うために流体力学的に動作する機器を含む、２つの同軸内腔管から成る。注入内腔管は、他の管を通じた排出をその動きと同時に推進する一方で、カテーテル周囲の空間を潤す機器に適切に接続される。
【００１１】
内視鏡用カテーテルは、カテーテルの遠位端部を塞ぐいかなる生体物質をも除去するために、循環する液体の剪断力を利用する。
【００１２】
添付された図面は、内視鏡治療用カテーテルの多くの可能なバリエーションのうちの２つを示す。
【００１３】
内視鏡治療用カテーテルは注入内内腔管（２）と排出外内腔管（１）とを有する。液体は、注入機器（１４）、またはカテーテルの端部周辺の組織の圧力に対し正圧を有する液体容器により供給されるが、その一方で、還流液は、負圧ポンプまたはカテーテルの端部周辺の組織の圧力に対し負圧を有する液体容器により収集される。
【００１４】
図１に示すように、内視鏡用カテーテルは２つの対向する流れを２つの異なる内腔管に分岐するための分岐部（１６）を有する。外内腔管の遠位端部は、フィルタもしくは膜組織もしくは格子もしくは網の籠である、交換面（４）を保持する。
【００１５】
蒸留水から薬品を有する栄養剤溶液まで変更されうる、内内腔管（２）を通じて矢印Ｂに従って供給される液体は、注入液と組織周辺の細胞外体液に含まれる物質との間で物質交換が生じる、カテーテルの遠位端部に到達する。液体は排出機器および／または集積槽および／または計測システム（１５）へ矢印Ｃに従って戻る。
【００１６】
交換面に蓄積され、その結果カテーテルを塞ぐ有機物質を除去するために、内内腔管（２）からその供給を受ける液体噴射は、動作すなわち回転機器の穴部（８）を経て液体交換面の内壁（４）に対して散布される。図２、４参照。噴射は、矢印Ａ方向に動作すなわち回転機器（３）を回転させる。
【００１７】
図２、３、および４は同じ概念の多くの可能なバリエーションのうち２つを図示する。図２、３に示される第１のバリエーションでは、動作すなわち回転機器は中空ねじり平板形状を有し、一方、図４に示される第２のバリエーションでは、動作すなわち回転機器は二重らせん鎖に似る。
【００１８】
図３に示すように動作すなわち回転機器（３）は、液体供給口として、また内内腔管（２）の遠位端部であるステータ（６）の軸受けとして提供される穴部（５）を保持する。ステータ（６）は円周およびその端部に、内内腔管（２）からステータと動作すなわち回転機器との間の中空部（７）へ液体が流出するための貫通穴すなわち開口部（１３）を保持する。この中空部は、ステータ（６）の外径が動作すなわち回転機器の穴部（５）の直径よりもわずかに小さいために生じ、滑り軸受け機能の原則に従うことにより多量移送小空間および摩擦解消部として作用する。
【００１９】
動作すなわち回転機器（３）はらせん形状を有し、穴すなわち開口部（８）を保持する。穴すなわち開口部（８）はステータと動作すなわち回転機器との間の中間部（７）から液体を取り入れ、回転推進力が得られるように放射状以外の方向角で交換面の壁（４）に対して液体の方向を向け直す。図２、４参照。方向角は機器（３）の回転周波数と交換面壁に加えられる剪断力との間の妥協点に基づいて選択される。すなわち、やや放射方向に偏った角度の選択は、高い剪断力となるが一定時間あたりの少ない回転数となり、一方で、やや円周方向に偏った角度の選択は、低い剪断力となるが、一定時間あたりのより多い回転数となる。それゆえに、動作すなわち回転機器（３）は交換面（４）を塞ぐ生体残渣を除去するだけでなく、その動作すなわち回転の原因となる。
【００２０】
図２、４に示されるように、動作すなわち回転機器（３）は全体的にまたは特定のらせん形状を有し、噴射が引き起こす回転により近位面（１７）が体外の集積器具へ液体を強制的に戻すよう液体を近位方向に押す回転方向を有する。
【００２１】
このことは、生体物質を除去することにより、フィルタあるいは膜組織あるいは格子あるいは網の籠を通じて交換される生体物質の沈滞を避けるためには非常に効果的である。図２、４に示されるように、動作すなわち回転機器の端部（９）は、相対的な動作すなわち回転を同時に考慮して外管（１）内面の一定の場所に動作すなわち回転機器を保持するように置かれる。これを容易にするため、外管の下部は、動作すなわち回転機器（３）の端部（９）を収容するための凹部（１０）を保持する。
【００２２】
さらに、移動リミッタ（１１）は、全ての傾きの下での操作を保証するために、内管の適切な高さに存在する。
【００２３】
内管（２）は機能における均一性を保証するために、外管（１）に対して同軸の中心に置かれる。これを得るために、１以上のセンタリングサポート（１２）が内管と外管との間に、動作すなわち回転機器（３）の位置にちょうど近接して配置される。
【００２４】
カテーテルは、挿入された組織が相対的に安定したカテーテルの出口点に対していかなる動作をする間でも抵抗を生じないよう全体として柔軟性を有するが、遠位端部は動作すなわち回転機器が適切に動くことを保証するためにわずかに堅くなければならない。このように、材料は内管および外管の遠位端部において相対的な堅さを提供するように適切に選択されるが、より柔軟な材料がカテーテルの残りに対して選択される。特定の臨床および検査用途に対してではあるが、カテーテル全体が堅くされうる。カテーテルの材料は、生体適合物質への考慮を含んだ、臨床および検査用カテーテルに関して存在する基準および規制に適合するべきである。
【図面の簡単な説明】
【００２５】
【図１】本発明による内視鏡治療用カテーテルの概観図である。
【図２】第１の実施形態による部分断面図である。
【図３】第１の実施形態による分解図である。
【図４】第２の実施形態による部分断面図である。
【符号の説明】
【００２６】
１  注入用外内腔管
２  排出用内内腔管
３  動作すなわち回転機器
４  液体置換面
５  動作すなわち回転機器の、穴部すなわちステータ軸受
６  ステータ
７  ステータと動作すなわち回転機器との間の中間部
８  動作すなわち回転機器の穴部、すなわち開口部
９  動作すなわち回転機器の端部
１０  動作すなわち回転機器端部の軸受
１１  内内腔管の移動リミッタ
１２  センタリングサポート
１３  ステータの貫通穴すなわち開口部
１４  注入機器
１５  排出機器および／または収集タンクおよび／または解析機器
１６  カテーテル分岐部
１７  動作すなわち回転機器の近位面
Ａ  動作すなわち回転機器の動作、すなわち回転方向
Ｂ  注入液の方向
Ｃ  排出液の方向
【図１】
2007504874.tif 000003
【図２】
2007504874.tif 000004
【図３】
2007504874.tif 000005
【図４】
2007504874.tif 000006
【国際調査報告】
2007504874.tif 000007
2007504874.tif 000008
2007504874.tif 000009